(57)【要約】      （修正有）【課題】簡易な構成で、製造コストを抑制でき、防塵、防滴構造を有するパネル計器を提供する。【解決手段】計器取付パネルに設けられた取付穴に背面側から挿入して前記計器取付パネルに取付けられるパネル計器１において、前記パネル計器１は前面の開口に外側方向に形成されたフランジ３を有する計器筐体２と、前記フランジ３の前面側に取付けられる前面ユニット５を有し、前記前面ユニット５が取付けられると、前記パッキン４が前記パネルと前記フランジ３間、前記フランジ３と前記前面ユニット５間で押圧されてシールするパネル計器１であることを特徴とする。【選択図】図２
2008082994.tif 000002
【特許請求の範囲】
【請求項１】
計器取付パネルに設けられた取付穴に背面側から挿入して前記計器取付パネルに取付けられるパネル計器において、
前記パネル計器は前面の開口に外側方向に形成されたフランジを有する計器筐体と、前記フランジの前面側に取付けられる前面ユニットと、前記フランジの外周を被覆し、前記フランジが嵌合する溝部を有するパッキンとを有し、
前記前面ユニットが取付けられると、前記パッキンが前記パネルと前記フランジ間、前記フランジと前記前面ユニット間で押圧されてシールすることを特徴とするパネル計器。
【請求項２】
前記パッキンが前記パネルと前記前面ユニット間で押圧され、シールすることを特徴とする請求項1記載のパネル計器。
【発明の詳細な説明】
【技術分野】
【０００１】
この発明は、パネルに取付けられるパネル計器に関するものである。特に防塵・防滴構造が要求される前面ユニットが脱着可能なパネル計器に関するものである。
【背景技術】
【０００２】
パネル計器は、前面が開口し、内部に多数の電子部品を搭載する計器筐体と、表示部や操作部を有する前面ユニット部からなり、背面側には外部との接続部が設けられる。このようなパネル計器は制御パネルなどの計器取付パネルに設けられた取付穴に背面側から挿入して取付けられる。また、前面ユニットは前方から脱着可能である。このようなパネル計器には設置環境によっては、制御パネルに水が飛散することもあり、前面ユニット、計器筐体およびパネル間にパッキンなどを設けて防塵・防滴構造を成している。
【０００３】
このような従来のパネル計器の構成を図４に示す。図4（ａ）は断面構成を示しており、図４（ｂ）はフランジ周辺の拡大図である。１０はパネル計器、２０は計器筐体、３０は計器筐体2０の開口部外周に設けたフランジ、４１と４２はパッキンである。５０は不図示の表示部や操作部を有する前面ユニットである。
【０００４】
図４のパネル計器において、計器取付パネル６０とフランジ３０間のシールは、パッキン４１で行われ、パッキン４１は計器筐体の背面側から挿入されて取付けられる。フランジ３０と前面ユニット５０間のシールはパッキン４２で行われ、パッキン４２はフランジ３０の前面側の４辺に貼り付けられる構造である。フランジ３０の断面は防塵・防滴構造を達成するため、図４に示すように２ヶ所の曲げ加工が施されている。
【０００５】
一方で、パネル計器が使用される環境の場合にのみ、前面カバーでパネル計器の前面を覆う防塵・防滴構造も提案されている。特許文献１に記載されている計器ケースの防水構造は、防水効果が不十分となる環境で使用される場合は、制御パネルと前面カバー間をシールする第１のパッキンと、前面カバーと前面蓋部間をシールする第２のパッキンを用いる構造である。
【特許文献１】特許第３２７５９３７号公報
【発明の開示】
【発明が解決しようとする課題】
【０００６】
しかしながら、上述した防塵・防滴構造のパネル計器においては、制御パネル、フランジ、前面ユニット間のシールに２つのパッキンを用いており、部品数の増加とともに取付、組立工数がかかるという問題点があった。また、フランジも２ヶ所の曲げ加工が施されており、工数と時間がかかり、製造コストの低減を妨げているという問題点があった。
【０００７】
この発明の目的は、以上の点に鑑み、簡易な構成で、製造コストを抑制でき、防塵・防滴構造を有するパネル計器を提供することである。
【課題を解決するための手段】
【０００８】
上記の課題を達成するため、本発明の請求項１記載の発明は、計器取付パネルに設けられた取付穴に背面側から挿入して前記パネルに取付けられるパネル計器において、前記パネル計器は前面の開口に外側方向に形成されたフランジを有する計器筐体と、前記フランジの前面側に取付けられる前面ユニットとを有し、前記前面ユニットが取付けられると、前記パッキンが前記パネルと前記フランジ間、前記フランジと前記前面ユニット間で押圧されてシールするパネル計器であることを特徴とする。
【０００９】
請求項２記載の発明は、前記パッキンが前記パネルと前記前面ユニット間で押圧され、シールすることを特徴とすることを特徴とする請求項１記載のパネル計器である。
【発明の効果】
【００１０】
この発明は、計器取付パネルに設けられた取付穴に背面側から挿入して前記パネルに取付けられるパネル計器において、前記パネル計器は前面の開口に外側方向に形成された部にフランジを有する計器筐体と、前記フランジの前面側に取付けられる前面ユニットと、前記フランジの外周を被覆し、前記フランジが嵌合する溝部を有するパッキンとを有し、前記前面ユニットが取付けられると、前記パッキンが前記パネルと前記フランジ間、前記フランジと前記前面ユニット間で押圧されてシールするパネル計器であることを特徴とする。このことにより、一つのパッキンで、パネルとフランジ間、フランジと前面ユニット間で押圧されてシールすることが可能となり、簡易な装置構成となる。
【００１１】
また、フランジは計器筐体の前面で、外周方向に向かって１ヶ所の曲げ加工で形成され、曲げ加工が少なくなって工数が減り、時間ロスを低減でき、製造コストを抑制できる。
【００１２】
さらに前記パッキンが前記パネルと前記前面ユニット間で押圧され、シールすることで、材質や製造技術に起因する部品のバラツキや反り等の発生により、さらに高いシール効果を求められる場合にも対応可能となる。
【発明を実施するための最良の形態】
【００１３】
図１は、この発明の一実施形態を示す構成説明図である。図１において、１はパネル計器、２は計器筐体、３は計器筐体２の前面の開口に外側方向に形成されたフランジ３、４はフランジの外周を被覆し、フランジが嵌合する溝部を有するパッキン、５は表示部５１や操作部５２等を有する前面ユニット５である。なお、計器筐体２内部の電子部品や基板などは不図示である。
【００１４】
パネル計器を計器取付パネル６に取付ける手順を説明する。計器筐体２の前面のフランジ３にパッキン４に設けられた溝部４０に嵌め込む。次に、計器筐体２を背面側から計器取付パネル６に設けられた取付穴６１挿入する。そして、前面ユニット５をフランジ４に押しあて、係止する。
【００１５】
前面ユニット５の係止は、例えば図５に示すような、従来から用いられている、凸状係止片９１と凹状係止片９２を嵌合させる係止部９を用いても良いし、ネジ止めを利用しても良い。係止片は９１、９２は前面ユニット５あるいは計器筐体２に対で設けられる。
【００１６】
図２は図１に示した実施形態の、フランジ３周辺の拡大図である。パッキン４はコの字状の断面で、フランジ３が嵌め込まれる溝部４００を有している。
前面ユニット５が計器筐体２に係止されると、パッキン４は押圧されて、フランジ３に嵌め込まれたパッキン４のＡ片は計器取付パネル６とフランジ３間のシールを行い、パッキン４のＢ片とＣ片はフランジ４と前面ユニット５間のシールを行う
【００１７】
図３はこの発明の他の実施形態を示すフランジ３周辺の拡大図である。この実施形態において、パッキン４０は前面ユニット５と計器取付パネル６間をシールするＤ片を有している。
【００１８】
前面ユニットの材質や製造品質差などによって部品のバラツキや反りなどが発生すると、Ｂ片とＣ片の２片ではシールが十分でない可能性もある。図３の形状のパッキン４０によれば、Ｄ片を加えたシールが為され、より高いシール効果が得られる。
【００１９】
なお、パッキン４、４０の材質はシリコンゴムなど柔軟性、弾性を有する最適なものとすればよい。
【００２０】
すなわち、本発明のパネル計器によれば、一つのパッキンで、パネルとフランジ間、フランジと前面ユニット間で高いシール効果を得ることが可能となり、簡易な装置構成で、安価でメンテナンスの容易なパネル計器を提供することができる
【００２１】
以上、本発明における最良に形態について説明したが、この形態による記述及び図面により本発明が限定されることはない。すなわち、この形態に基づいて当業者等によりなされる他の形態、実施例および運用技術等は全て本発明の範疇に含まれることは勿論である。
【図面の簡単な説明】
【００２２】
【図１】この発明の一実施形態を示す構成説明図である。
【図２】この発明の一実施形態を示す断面図である。
【図３】この発明の他の実施形態を示す断面図である。
【図４】従来のパネル計器に断面図である。
【図５】係止部の一例を示す断面図である。
【符号の説明】
【００２３】
１、１０ パネル計器
２ 、２０  計器筐体
３ 、３０  フランジ
４ 、４０、４１，４２  パッキン
４００  溝部
５、５０  前面ユニット
６、６０  計器取付パネル
６１、６１０  取付穴
９ 係止部
【図１】
2008082994.tif 000003
【図２】
2008082994.tif 000004
【図３】
2008082994.tif 000005
【図４】
2008082994.tif 000006
【図５】
2008082994.tif 000007